(57)【要約】【課題】電源コンセントがない場所でも、電気機器にＤＣ電力を供給する外部電源として使用することができる外部電源機能付きＡＣアダプタを提供する。また、種類又は機種が異なる電気機器に共用することができる外部電源機能付きＡＣアダプタを提供する。【解決手段】バッテリ４を装着する装着部５が設けられた本体部２に、商用ＡＣ電源から入力ケーブル２１を介して供給されるＡＣ電力をＤＣ電力に変換するＡＣ−ＤＣ変換部と、該ＤＣ電力を出力ケーブル２２を介して電気機器へ出力するＤＣ出力部と、前記ＤＣ電力を前記装着部５に装着したバッテリ４に供給して充電する電気的接続部とを備え、商用電源からのＡＣ電力の供給がない状態で、本体部２に装着された充電済みバッテリ４のＤＣ電力を前記電気的接続部を介して前記ＤＣ出力部から出力する。【選択図】図２
0003128167.tif 000002
【実用新案登録請求の範囲】
【請求項１】
単又は複数のバッテリを装着する装着部が設けられた本体部に、商用ＡＣ電源から入力ケーブルを介して供給されるＡＣ電力をＤＣ電力に変換するＡＣ−ＤＣ変換部と、該ＤＣ電力を出力ケーブルを介して電気機器へ出力するＤＣ出力部と、前記ＤＣ電力を前記装着部に装着したバッテリに供給して充電する電気的接続部とを備え、商用電源からのＡＣ電力の供給がない状態で、本体部に装着された充電済みバッテリのＤＣ電力を前記電気的接続部を介して前記ＤＣ出力部から出力することを特徴とする外部電源機能付きＡＣアダプタ。
【請求項２】
前記出力ケーブルが、前記ＤＣ出力部の出力端子であるＤＣジャックに接続されるＤＣプラグを備えてなり、該ＤＣプラグ内の抵抗器に対する前記ＤＣ出力部の抵抗器の抵抗値の比により、前記出力ケーブルの出力電圧を決定してなる請求項１記載の外部電源機能付きＡＣアダプタ。
【請求項３】
前記出力ケーブルにおける電気機器と接続されるＤＣプラグを着脱可能としてなる請求項１又は２記載の外部電源機能付きＡＣアダプタ。
【考案の詳細な説明】
【技術分野】
【０００１】
本考案は、商用交流（ＡＣ）電源から入力された交流電力を直流（ＤＣ）電力に変換する機能（ＡＣアダプタ機能）及びバッテリを充電する機能（充電機能）を備えるとともに、バッテリの直流電力を出力する機能（外部電源機能）を備えたＡＣアダプタに関するものである。
【背景技術】
【０００２】
従来のＡＣアダプタとして、ビデオカメラ、プロジェクタ又は電気かみそり等の各種電気機器にＤＣ電力を供給するＡＣアダプタとしての機能に加え、電池パック（バッテリパック）とも呼ばれる前記電気機器の専用バッテリ（蓄電池、充電用二次電池）を充電する機能を備えたものがある（例えば、特許文献１〜３参照）。
【０００３】
これらの充電機能付きＡＣアダプタは、ＡＣアダプタ本体の上部に専用バッテリの装着部が設けられており、専用バッテリをＡＣアダプタ本体に装着した状態で充電を行い、充電後の専用バッテリをＡＣアダプタ本体から取り外して、該専用バッテリが対応する電気機器に装着し、該電気機器を駆動可能とするものである。また、専用バッテリをＡＣアダプタ本体から外した状態で、ＡＣアダプタ本体に商用ＡＣ電源から入力されたＡＣ電力をＤＣ電力に変換し、ＡＣアダプタ本体に接続された出力ケーブルにより該ＡＣアダプタが対応する電気機器にＤＣ電力を供給するものである。
【０００４】
【特許文献１】実開昭６３−１４１５４７号公報（第１図）
【特許文献２】実開昭６３−１００９２６号公報（第１図）
【特許文献３】特開平６−７０４７３号公報（図１）
【考案の開示】
【考案が解決しようとする課題】
【０００５】
以上のような従来の充電機能付きＡＣアダプタは、電源コンセントがない場所では、電気機器にＤＣ電力を供給する外部電源とすることができないものである。また、電気機器の各機種に専用のものであるため、種類又は機種が異なる電気機器に共用することができない。
【０００６】
そこで本考案が前述の状況に鑑み、解決しようとするところは、電源コンセントがない場所でも、電気機器にＤＣ電力を供給する外部電源として使用することができる外部電源機能付きＡＣアダプタを提供する点にある。また、種類又は機種が異なる電気機器に共用することができる外部電源機能付きＡＣアダプタを提供する点にある。
【課題を解決するための手段】
【０００７】
本考案に係る外部電源機能付きＡＣアダプタは、前記課題解決のために、単又は複数のバッテリを装着する装着部が設けられた本体部に、商用ＡＣ電源から入力ケーブルを介して供給されるＡＣ電力をＤＣ電力に変換するＡＣ−ＤＣ変換部と、該ＤＣ電力を出力ケーブルを介して電気機器へ出力するＤＣ出力部と、前記ＤＣ電力を前記装着部に装着したバッテリに供給して充電する電気的接続部とを備え、商用電源からのＡＣ電力の供給がない状態で、本体部に装着された充電済みバッテリのＤＣ電力を前記電気的接続部を介して前記ＤＣ出力部から出力するものである。
【０００８】
ここで、前記出力ケーブルが、前記ＤＣ出力部の出力端子であるＤＣジャックに接続されるＤＣプラグを備えてなり、該ＤＣプラグ内の抵抗器に対する前記ＤＣ出力部の抵抗器の抵抗値の比により、前記出力ケーブルの出力電圧を決定してなると好ましい。
【０００９】
また、前記出力ケーブルにおける電気機器と接続されるプラグを着脱可能としてなると好ましい。
【考案の効果】
【００１０】
本考案に係る外部電源機能付きＡＣアダプタは、単又は複数のバッテリを装着する装着部が設けられた本体部に、商用ＡＣ電源から入力ケーブルを介して供給されるＡＣ電力をＤＣ電力に変換するＡＣ−ＤＣ変換部と、該ＤＣ電力を出力ケーブルを介して電気機器へ出力するＤＣ出力部と、前記ＤＣ電力を前記装着部に装着したバッテリに供給して充電する電気的接続部とを備え、商用電源からのＡＣ電力の供給がない状態で、本体部に装着された充電済みバッテリのＤＣ電力を前記電気的接続部を介して前記ＤＣ出力部から出力するので、電源コンセントがない場所でも、バッテリのＤＣ電力を電気機器に供給することができるため、該ＡＣアダプタを外部電源として使用することができるとともに、電源仕様が適応する種類又は機種が異なる複数の電気機器に共用することができる。その上、本体部のＡＣ−ＤＣ変換部の出力であるＤＣ電力をＤＣ−ＤＣコンバータ等により電圧変換を行えば、電気機器の入力電圧の仕様に容易に合わせることができるため、電源仕様が異なる電気機器の外部電源として使用することができる。その上さらに、本体部に複数のバッテリを装着可能としたものにあっては、複数のバッテリを直列に接続すれば出力電力（電源容量）を大きくすることができ、複数のバッテリを並列に接続すれば該ＡＣアダプタを外部電源として使用する例えばノートパソコン等の電気機器の駆動時間を長くすることができるため、外部電源としての利用範囲を拡大することができる。
【００１１】
また、前記出力ケーブルが、前記ＤＣ出力部の出力端子であるＤＣジャックに接続されるＤＣプラグを備えてなり、該ＤＣプラグ内の抵抗器に対する前記ＤＣ出力部の抵抗器の抵抗値の比により、前記出力ケーブルの出力電圧を決定してなると、前記効果に加えて、前記ＤＣプラグ内の抵抗器の抵抗値を変えた出力ケーブルを複数用意しておくことにより、ＤＣ−ＤＣコンバータを本体部内に備えさせなくても、該ＡＣアダプタを外部電源として使用する電気機器の入力電圧の仕様に容易に合わせることができるため、本体部の電気回路の簡素化、コンパクト化及び低コスト化を図ることができる。
【００１２】
さらに、前記出力ケーブルにおける電気機器と接続されるプラグを着脱可能としてなると、前記効果に加えて、電気機器の電源入力用ＤＣジャックの仕様に合わせて出力ケーブルのプラグを付け替えることにより、該プラグを電気機器に容易に接続して該ＡＣアダプタと電気機器とを接続することができるため、該ＡＣアダプタを外部電源として使用する際の利便性が向上する。
【考案を実施するための最良の形態】
【００１３】
次に、本考案の実施の形態を添付図面に基づいて説明するが、本考案は、添付図面に示された形態に限定されず実用新案登録請求の範囲に記載の要件を満たす実施形態の全てを含むものである。
【００１４】
実施の形態１．
以下の図１〜図５において、ＡＣアダプタ１の本体部２の出力端子であるＤＣジャック１１が設けられた端面から、その反対側の入力端子であるＡＣジャック１０が設けられた端面（図３（ｂ）参照）へ向かう方向を前方とし、その反対方向を後方とする。また前方に向かって左右を左右とし、前方から見た図を正面図とする。
【００１５】
図１〜図５は本考案の実施の形態１に係るＡＣアダプタ１の構成を示す説明図であり、図１はＡＣアダプタ１の斜視図、図２は本体部２、バッテリ４、入力ケーブル２１及び出力ケーブル２２を分離した状態を示す斜視図、図３（ａ）は本体部２のバッテリ装着部５側が見える状態の斜視図、図３（ｂ）は本体部２のＡＣジャック（入力端子）１０を示す正面図、図４（ａ）はバッテリ４の接続端子１３Ａ側が見える状態の斜視図、図４（ｂ）はバッテリ４の接続端子１３Ｂを示す正面図、図５は本体部２（３）のＤＣ出力部８及び出力ケーブル２２のＤＣプラグ２２Ａの構成例を示す回路図である。
【００１６】
図１〜図３に示すように、ＡＣアダプタ１は、バッテリ４の装着部５が設けられた、略直方体状の外形の本体部２と、該本体部２に装着される、略直方体状の外形のバッテリ４とからなり、本体部２には、図示しない商用ＡＣ電源から入力ケーブル２１を介して供給されるＡＣ電力をＤＣ電力に変換するＡＣ−ＤＣ変換部と、該ＤＣ電力を前記バッテリ装着部５に装着したバッテリ４に供給して充電する電気的接続部である接続端子９（図３（ａ）参照）とを備えている。
【００１７】
次に、本体部２にバッテリ４を装着する構造について説明する。図２に示すように、例えばバッテリ４を、本体部２の接続端子９に接続される接続端子１３Ａを上側とした状態で、本体部２左右の係止片１６，…、１７，…をバッテリ４左右の凹部１８，…内に上側から落とし込み、本体部２をバッテリ４に対して前方へ相対移動させると、本体部２左右の係止片１６，…、１７，…がバッテリ４左右の係止溝１９，…の方向へスライドし、該係止片が該係止溝の下側に位置するため、本体部２とバッテリ４とは容易かつ確実に連結され、この連結状態が保持される。
【００１８】
また、図２及び図３（ａ）に示すように、本体部２の防塵カバー１４は左右のスライド溝１５，１５に沿って前後方向にスライド可能であるため、防塵カバー１４をスライドさせれば、図２に示すような防塵カバー１４が接続端子９の上側に位置して接続端子９を覆っている状態と、図３（ａ）に示す防塵カバー１４が接続端子９の上側に位置せずに接続端子９が露出している状態のいずれかとすることが容易である。なお、本体部２にバッテリ４を装着しない状態では、図２に示すように、防塵カバー１４が接続端子９の上側に位置して接続端子９を保護する状態となっている。この状態では、図３（ａ）に示すように上方に突出する接続端子９の弾性変形による復元力が防塵カバー１４に作用して該防塵カバー１４が左右のスライド溝１５，１５の上部材に押し付けられるため、該状態が安定的に保持される。
【００１９】
そして、前記のように本体部２にバッテリ４を装着した状態では、図２及び図４（ａ）に示すバッテリ４の接続端子１３Ａの後側に位置する段部２０Ａにより本体部２の防塵カバー１４が押されて後方へ移動しており、本体部２の接続端子９（図３（ａ）参照）とバッテリ４の接続端子１３Ａとが接続された状態となっている。また、本体部２とバッテリ４とを外した状態では、前記本体部２にバッテリ４を装着する手順（バッテリ４に本体部２を取り付ける手順）と逆の操作が行われているため、図２及び図４（ａ）に示すバッテリ４の前記段部２０Ａに対向し該段部２０Ａの後側に位置する段部２０Ｂにより、本体部２の防塵カバー１４が前方へ押されて移動し、防塵カバー１４が接続端子９を覆って保護している状態（図２参照）となっている。
【００２０】
このような構成により、本体部２とバッテリ４とを外した状態では、防塵カバー１４自体を操作しなくても、必ず防塵カバー１４により本体部２の電気的接続部である接続端子９が保護される。さらに、本体部２にバッテリ４を装着した状態では、本体部２の防塵カバー１４はバッテリ４の前記段部２０Ａ及び２０Ｂの間に位置するため、該段部２０Ａ及び２０Ｂにより防塵カバー１４の本体部２に対する前後方向への移動が規制される。したがって、防塵カバー１４が移動して前記段部２０Ａ等に衝突する衝突音やスライド溝１５，１５を摺動する摺動音が発生することがない。
【００２１】
次に、本発明に係るＡＣアダプタ１の機能について説明する。入力ケーブル２１のＡＣプラグ２１Ａを図示しない商用ＡＣ電源のコンセントに接続し、入力ケーブル２１のＡＣプラグ２１Ｂ（図２参照）を本体部２の前端面に設けられた入力端子であるＡＣジャック１０（図３（ｂ）参照）に接続した状態では、本体部２にＡＣ電力が入力され、該ＡＣ電力は前記ＡＣ−ＤＣ変換部における変圧器で降圧され、整流回路で整流され、さらに平滑回路で平滑されてＤＣ電力に変換される。
【００２２】
そして、出力ケーブル２２のＤＣプラグ２２Ａを本体部２の後端面に設けられた出力端子であるＤＣジャック１１（図２参照）に接続し、出力ケーブル２２のＤＣプラグ２２Ｂを、ノートパソコン、ビデオカメラ又はプロジェクタ等の電気機器に接続した状態で、該電気機器には前記ＡＣ−ＤＣ変換部の出力であるＤＣ電力を電気機器に供給するためのＤＣ出力部から出力ケーブル２２を介して供給される（ＡＣアダプタ機能）。なお、図１に示すように、本体部２に電源供給がされている状態は、発光ダイオード（ＬＥＤ）２Ａの点灯により表示される。
【００２３】
また、図１のように本体部２にバッテリ４が装着されている状態では、本体部２におけるバッテリ４との電気的接続部である接続端子９（図３（ａ）参照）を介して、バッテリ４に前記ＡＣ−ＤＣ変換部の出力であるＤＣ電力が供給され、バッテリ４は充電される（充電機能）。なお、充電に関する状態表示は、例えば発光ダイオード２Ｂの点滅が充電中、点灯が充電完了のように表示される。
【００２４】
ここで、前記ＡＣアダプタ機能及び充電機能は、本体部２にバッテリ４を装着した状態で両機能を同時に作動可能としてもよいし、スイッチによりいずれか一方を作動させるように切り換えてもよい。あるいは、本体部２にバッテリ４を装着しない状態では前記ＡＣアダプタ機能を作動させ、本体部２にバッテリ４を装着した状態では前記充電機能を作動させるようにしてもよい。
【００２５】
さらに、本発明に係るＡＣアダプタ１は、前記ＡＣアダプタ機能及び充電機能の他に、充電済みバッテリ４のＤＣ電力を前記ＤＣ出力部から出力する機能も備えている（バッテリからのＤＣ電力出力機能）。すなわち、商用電源からのＡＣ電力の供給がない状態（入力ケーブル２１を本体部２に接続しない状態、又は、入力ケーブル２１を本体部２に接続してＡＣプラグ２１Ａを商用ＡＣ電源のコンセントに接続しない状態）で、本体部２に装着され前記充電機能により充電された充電済みバッテリ４のＤＣ電力を前記接続端子９を介して前記ＤＣ出力部から出力し、出力ケーブル２２により電気機器に接続して電力供給を行うことができる（外部電源機能）。なお、バッテリ４には、図１、図２及び図４（ａ）に示すように、その後端面にある発光ダイオード４Ｂにより充電残量が表示され、スイッチ４Ａにより発光ダイオード４ＢのＯＮ・ＯＦＦ（表示・非表示）を切り換えることができる。
【００２６】
前記充電機能及びバッテリからのＤＣ電力出力機能（外部電源機能）は、いずれもバッテリ４を本体部２に装着した状態における機能であるため、これらの機能の切り換えは、本体部２の前記ＡＣ−ＤＣ変換部にＡＣ電力の供給がある場合には前記充電機能を作動させ、前記ＡＣ−ＤＣ変換部にＡＣ電力の供給がない場合には前記バッテリからのＤＣ電力出力機能を作動させるようにしてもよいし、スイッチにより切り換えるようにしてもよい。
【００２７】
以上のように本発明に係るＡＣアダプタ１は、バッテリ４からのＤＣ電力出力機能（外部電源機能）を備えているので、電源コンセントがない場所でもバッテリ４のＤＣ電力を電気機器に供給することができるため、該ＡＣアダプタ１を外部電源として使用することができる。また、電源仕様が適応する種類又は機種が異なる複数の電気機器に共用することができる。さらに、本体部２のＡＣ−ＤＣ変換部の出力であるＤＣ電力をＤＣ−ＤＣコンバータ等により電圧変換を行えば、電気機器の入力電圧の仕様に容易に合わせることができるため、電源仕様が異なる電気機器の外部電源として使用することができる。よって、例えば複数の電気機器に対して、これら電気機器専用のＡＣアダプタと予備バッテリを各々持ち運ぶ必要ななくなり、汎用性の高い本発明に係る外部電源機能付きＡＣアダプタ１個のみを持ち運ぶのみでよい。
【００２８】
その上、図１、図２及び図３（ａ）に示すように、本体部２の後端面にはＵＳＢ端子１２も設けられており、該ＵＳＢ端子１２を、携帯情報端末（ＰＤＡ）、携帯電話、携帯音楽プレーヤ及びゲーム機器等のモバイル機器の充電にも使用することもできるため、さらに利便性が向上する。
【００２９】
次に、本体部２のＤＣ出力部８等の構成例について図５により説明する。前記のとおりＡＣアダプタ機能が作動している状態におけるＡＣ−ＤＣ変換部７の出力であるＤＣ電力又はバッテリからのＤＣ電力出力機能が作動している状態におけるバッテリ４のＤＣ電力は、ＤＣ出力部８を介して出力ケーブル２２により電気機器に供給される。
【００３０】
ＤＣ出力部８は、ドレイン端子ＤがＡＣ−ＤＣ変換部７又はバッテリ４からの出力端子（＋Ｖ）に接続され、ソース端子ＳがＤＣジャック（出力端子）１１のピンＰ−１に接続されたＭＯＳＦＥＴ２４、ＡＣ−ＤＣ変換部７又はバッテリ４からのグランド端子（ＧＮＤ）にアノード端子Ａが接続され、リファレンス端子ＲＥＦがＤＣジャック１１のピンＰ−３に接続され、カソード端子ＣがＭＯＳＦＥＴ２４のゲート端子Ｇに接続された出力可変型シャントレギュレータ２３、前記出力端子（＋Ｖ）とＭＯＳＦＥＴ２４のドレイン端子Ｄとの間及びＭＯＳＦＥＴ２４のゲート端子Ｇとシャントレギュレータ２３のカソード端子Ｃとの間に接続された抵抗器２５、ＭＯＳＦＥＴ２４のソース端子ＳとＤＣジャック１１のピンＰ−１との間及びＤＣジャック１１のピンＰ−２との間に接続された抵抗器２６等により構成される。なお、シャントレギュレータ２３の推奨動作条件に合わせて抵抗器２５の抵抗値Ｒ３が決定される。また、ＤＣジャック１１に接続される出力ケーブル２２のＤＣプラグ２２Ａ内には、ピンＰ−２とＰ−３の間に抵抗器２７が接続される。
【００３１】
このような構成によれば、基準電圧を作るシャントレギュレータ２３のリファレンス電圧をＶｒｅｆとすると、出力ケーブル２２の出力電圧Ｖｏｕｔは、Ｖｏｕｔ＝（１＋（Ｒ１／Ｒ２））×Ｖｒｅｆとなるため、ＤＣプラグ２２Ａ内の抵抗器２７に対するＤＣ出力部８の抵抗器２６の抵抗値の比（Ｒ１／Ｒ２）により、出力ケーブル２２の出力電圧Ｖｏｕｔが決定される。すなわち、ＤＣ出力部８の抵抗器２６の抵抗値Ｒ１を固定すれば、ＤＣプラグ２２Ａ内の抵抗器２７の抵抗値Ｒ２のみを変化させることにより、出力ケーブル２２の出力電圧Ｖｏｕｔを変えることができる。また、最大出力電流は、ＭＯＳＦＥＴ２４の仕様により決定される。
【００３２】
よって、ＤＣプラグ２２Ａ内の抵抗器２７の抵抗値Ｒ２を変えた出力ケーブル２２を複数用意しておくことにより、ＤＣ−ＤＣコンバータを本体部２内に備えさせなくても、ＡＣアダプタ１を外部電源として使用する電気機器の入力電圧の仕様に容易に合わせることができるため、本体部２の電気回路の簡素化、コンパクト化及び低コスト化を図ることができる。
【００３３】
また、図２に示すように、出力ケーブル２２の電気機器接続側のＤＣプラグ２２Ｂは、分離部２２Ｃにより分離可能であるため、異なる仕様のＤＣプラグ２２Ｂ、例えばＥＩＡＪ＃１〜＃５プラグや電気機器専用のプラグ等を付け替えて使用することができる。したがって、電気機器の電源入力用ＤＣジャックの仕様に合わせて出力ケーブル２２のプラグ２２Ｂを付け替えることにより、該プラグ２２Ｂを電気機器に容易に接続してＡＣアダプタ１と電気機器とを接続することができるため、ＡＣアダプタ１を外部電源として使用する際の利便性が向上する。
【００３４】
実施の形態２．
図６は、本考案の実施の形態２に係るＡＣアダプタ１の斜視図であり、実施の形態１の図１と同一符号は同一又は相当部分を示している。したがって、実施の形態１と同一符号のものは同様の構成からなり、また同様の作用効果を奏するものであるため、これらについての説明は省略する。
【００３５】
図６におけるＡＣアダプタ１の本体部３は、上下多段に複数（図６の例では５個）のバッテリ４，…を装着可能なバッテリ装着部６を備えており、該ＡＣアダプタ１も実施の形態１と同様に、前記ＡＣアダプタ機能、充電機能及びバッテリ４，…からのＤＣ電力出力機能（外部電源機能）を有するものである。なお、バッテリ４，…は下から順番に載置して上下多段にしてもよいし、例えば図４に示す左右側面に形成された凹条２８，２８を利用して各バッテリ４，…を個別にガイドしてもよい。
【００３６】
本体部３の開閉可能なカバー２９の内側には接続端子が設けられており、各バッテリ４の端面（カバー２９側）には前記接続端子に接続される接続端子１３Ｂ（図４（ｂ）参照）が設けられている。したがって、カバー２９の内側の前記接続端子により複数のバッテリ４，…を直列に接続すれば、前記ＤＣ電力出力機能（外部電源機能）の作動時に出力電力（電源容量）を大きくすることができ、前記接続端子により複数のバッテリ４，…を並列に接続すれば該ＡＣアダプタ１を外部電源として使用する例えばノートパソコン等の電気機器の駆動時間を長くすることができるため、外部電源としての利用範囲を拡大することができる。
【００３７】
なお、例えば、スイッチ３Ａにより、本体部３への電源供給のＯＮ・ＯＦＦを切り換えることができ、発光ダイオード３Ｂの点灯により本体部３に電源供給がされている状態が表示される。また、発光ダイオード３Ｃの点滅によりバッテリ４，…が充電されている状態が表示され、発光ダイオード３Ｃの点灯によりバッテリ４，…の充電完了状態が表示される。さらに、本体部３の図示しない発光ダイオードによりバッテリ４，…の残量を表示させてもよい。さらにまた、本体部３に図示しないＵＳＢ端子を複数設ければ、複数のモバイル機器の同時充電が可能となるため、より利便性が向上する。
【００３８】
ＡＣアダプタ１の本体部３に複数のバッテリ４，…を装着可能な装着部６を設ける構成は、図６のようにバッテリ４，…を上下多段にする構成でなくても、バッテリ４，…を立てて水平方向に重ねる構成等であってもよいし、バッテリ４，…の個数についても適宜選択することができる。さらに、図６のようなバッテリ４，…を複数装着したＡＣアダプタ１を複数接続可能とすれば、ＡＣアダプタ１，…の直列接続により出力電力（電源容量）を大きくすることができ、ＡＣアダプタ１，…の並列接続により電気機器の駆動時間を長くすることができるため、外部電源としての利用範囲をさらに拡大することができる。
【図面の簡単な説明】
【００３９】
【図１】本考案の実施の形態１に係る外部電源機能付きＡＣアダプタの斜視図である。
【図２】本体部、バッテリ、入力ケーブル及び出力ケーブルを分離した状態を示す斜視図である。
【図３】本体部の構成説明図であり、（ａ）はバッテリ装着部側が見える状態の斜視図、（ｂ）はＡＣジャック（入力端子）を示す正面図である。
【図４】バッテリの構成説明図であり、（ａ）は接続端子側が見える状態の斜視図、（ｂ）は別の接続端子を示す正面図である。
【図５】本体部のＤＣ出力部及び出力ケーブルのＤＣプラグの構成例を示す回路図である。
【図６】本考案の実施の形態２に係る外部電源機能付きＡＣアダプタの斜視図である。
【符号の説明】
【００４０】
１  ＡＣアダプタ
２，３  本体部
２Ａ，２Ｂ  発光ダイオード
３Ａ  スイッチ
３Ｂ，３Ｃ  発光ダイオード
４  バッテリ
４Ａ  スイッチ
４Ｂ  発光ダイオード
５，６  バッテリ装着部
７  ＡＣ−ＤＣ変換部
８  ＤＣ出力部
９  接続端子（電気的接続部）
１０  ＡＣジャック（入力端子）
１１  ＤＣジャック（出力端子）
１２  ＵＳＢ端子
１３Ａ，１３Ｂ  接続端子
１４防塵カバー
１５  スライド溝
１６，１７  係止片
１８  凹部
１９  係止溝
２０Ａ，２０Ｂ  段部
２１  入力ケーブル
２１Ａ，２１Ｂ  ＡＣプラグ
２２  出力ケーブル
２２Ａ，２２Ｂ  ＤＣプラグ
２２Ｃ  分離部
２３  シャントレギュレータ
２４  ＭＯＳＦＥＴ
２５，２６，２７  抵抗器
２８  凹条
２９  カバー
【図１】
0003128167.tif 000003
【図２】
0003128167.tif 000004
【図３】
0003128167.tif 000005
【図４】
0003128167.tif 000006
【図５】
0003128167.tif 000007
【図６】
0003128167.tif 000008